(57)【要約】【課題】器具本体内に水が浸入して漏電等の不具合が生じることを抑制することができる照明装置を提供する。【解決手段】光源１１０と、光源１１０が収納される凹部１２１を有する器具本体１２０と、器具本体１２０の外部に設置され、電力線３００を介して光源１１０と電気的に接続された電源部１２１とを備え、器具本体１２０は、器具本体１２０を貫通し、電力線３００が挿通される挿通孔１２５を有し、器具本体１２０における凹部１２１に背向する外面には、鉛直方向を法線とする水平面に対して傾斜する傾斜面が含まれており、挿通孔１２５は、この傾斜面に設けられている。【選択図】図３
2020102400.tif 000002
【特許請求の範囲】
【請求項１】
光源と、
前記光源が収納される凹部を有する器具本体と、
前記器具本体の外部に設置され、電力線を介して前記光源と電気的に接続された電源部とを備え、
前記器具本体は、前記器具本体を貫通し、前記電力線が挿通される挿通孔を有し、
前記器具本体における前記凹部に背向する外面には、鉛直方向を法線とする水平面に対して傾斜する傾斜面が含まれており、
前記挿通孔は、前記傾斜面に設けられている、
照明装置。
【請求項２】
前記器具本体は、少なくとも一部が前記傾斜面に位置する複数の放熱フィンを有し、
前記複数の放熱フィンの各々は、前記傾斜面の傾斜方向に延在する部分を有する、
請求項１に記載の照明装置。
【請求項３】
前記複数の放熱フィンは、互いに対向する第１放熱フィン及び第２放熱フィンを含み、
前記第１放熱フィンは、前記傾斜面の傾斜方向に延在する第１フィン本体部と、前記傾斜面に形成され、前記第１フィン本体部から前記第２放熱フィン側に向かって斜め下方に延在する第１フィン傾斜部とを有し、
前記第２放熱フィンは、前記傾斜面の傾斜方向に延在する第２フィン本体部と、前記傾斜面に形成され、前記第２フィン本体部から前記第１放熱フィン側に向かって斜め下方に延在する第２フィン傾斜部とを有し、
前記第１フィン傾斜部及び前記第２フィン傾斜部は、互いに近づくように延在しており、
前記第１フィン傾斜部の先端部と前記第２フィン傾斜部の先端部との間には隙間が存在している、
請求項２に記載の照明装置。
【請求項４】
前記第１フィン傾斜部の先端部及び前記第２フィン傾斜部の先端部は、前記器具本体を介して前記光源と対向する位置に存在している、
請求項３に記載の照明装置。
【請求項５】
前記複数のフィンは、前記第１放熱フィンと前記第２放熱フィンとの間に設けられた第３放熱フィンを含み、
前記第３放熱フィンと前記挿通孔とは、前記傾斜面の傾斜方向に並んでいる、
請求項３又は４に記載の照明装置。
【請求項６】
さらに、前記器具本体の前記凹部の開口部に取り付けられた枠体を備え、
前記傾斜面の下端側に対応する前記器具本体の側面における前記枠体との接続部分は、前記傾斜面の下端側に対応する前記枠体の側面における前記器具本体との接続部分よりも外側に位置している、
請求項１〜５のいずれか１項に記載の照明装置。
【発明の詳細な説明】
【技術分野】
【０００１】
本発明は、照明装置に関し、特に天井等の造営材に埋め込み配設される照明装置に関する。
【背景技術】
【０００２】
従来、照明装置として、ダウンライト等の天井に埋め込み配設された天井埋込型の照明器具が知られている。天井埋込型の照明器具は、天井の貫通孔に取り付けられた灯具ユニットと、天井裏に配置された電源ユニットと、灯具ユニットと電源ユニットとを電気的に接続する電力線とを備える（例えば特許文献１参照）。灯具ユニットは、発光部を有する光源と、光源を保持する器具本体と、器具本体を天井の貫通孔に保持させるための枠体とを有する。
【先行技術文献】
【特許文献】
【０００３】
【特許文献１】特開２０１７−０５０１４６号公報
【発明の概要】
【発明が解決しようとする課題】
【０００４】
灯具ユニットと電源ユニットとを接続する電力線は、器具本体の上面に設けられた挿通孔を介して器具本体内に配置された光源と電源ユニットの電源部とに接続されている。電力線が挿通される挿通孔はカバー等によって蓋をされるが、雨漏り等の浸水や空気中の水蒸気の結露等によって器具本体の上面に水が発生して挿通孔付近に水が溜まることがある。挿通孔付近に水が溜まった状態が続くと、器具本体やカバーが腐食して器具本体の内部に水が浸入し、漏電等の不具合が発生するおそれがある。特に、屋外に設置されるダウンライトについては、このような水に起因する不具合が生じやすい。
【０００５】
本発明は、このような課題を解決するためになされたものであり、器具本体内に水が浸入して漏電等の不具合が生じることを抑制することができる照明装置を提供することを目的とする。
【課題を解決するための手段】
【０００６】
上記目的を達成するために、本発明に係る照明装置の一態様は、光源と、前記光源が収納される凹部を有する器具本体と、前記器具本体の外部に設置され、電力線を介して前記光源と電気的に接続された電源部とを備え、前記器具本体は、前記器具本体を貫通し、前記電力線が挿通される挿通孔を有し、前記器具本体における前記凹部に背向する外面には、鉛直方向を法線とする水平面に対して傾斜する傾斜面が含まれており、前記挿通孔は、前記傾斜面に設けられている。
【発明の効果】
【０００７】
本発明の一態様によれば、器具本体内に水が浸入して漏電等の不具合が生じることを抑制することができる。
【図面の簡単な説明】
【０００８】
【図１】実施の形態に係る照明装置の外観斜視図である。
【図２】実施の形態に係る照明装置の上面図である。
【図３】実施の形態に係る照明装置の断面図である。
【図４】実施の形態に係る照明装置の灯具ユニットの断面図である。
【図５】実施の形態に係る照明装置の灯具ユニットにおける挿通孔周辺の構成を示す拡大斜視図である。
【図６】実施の形態に係る照明装置の灯具ユニットにおける放熱フィン周辺の構成を示す拡大平面図である。
【図７】比較例１の照明装置における器具本体の挿通孔周辺の構造を示す図である。
【図８】比較例２の照明装置における器具本体の挿通孔周辺の構造を示す図である。
【図９】変形例に係る照明装置の灯具ユニットにおける放熱フィン周辺の構成を示す拡大平面図である。
【発明を実施するための形態】
【０００９】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。各図において、実質的に同一の構成に対しては同一の符号を付しており、重複する説明は省略又は簡略化される場合がある。
【００１１】
（実施の形態）
まず、実施の形態に係る照明装置１の概略構成について、図１〜図３を用いて説明する。図１は、実施の形態に係る照明装置の外観斜視図である。図２は、同照明装置１の上面図である。図３は、同照明装置１の断面図である。なお、図３では、照明装置１を天井に設置したときの状態を示している。また、図３は、照明装置１の断面部分のみを図示している。ただし、図３において、電力線３００は、便宜上、断面視ではなく側面視の状態で示されている。
【００１２】
図１〜図３に示すように、照明装置１は、例えば建物の天井等の造営材に埋め込み配設されることにより下方（床や壁等）に光を照射するダウンライト等の埋込型照明器具である。本実施の形態において、照明装置１は、天井２に埋め込み配設されたダウンライトであり、主に壁に向けて照明光を照射する。なお、照明装置１は、例えば室内に設置されるが、屋外に設置されてもよい。
【００１３】
照明装置１は、発光部１１２を含む光源１１０を有する灯具ユニット１００と、電源部２１０を有する電源ユニット２００とを備える。本実施の形態において、灯具ユニット１００と電源ユニット２００とは、構造上分離されており、天井２の異なる箇所に設置される。
【００１４】
具体的には、図３に示すように、灯具ユニット１００は、天井２に設けられた貫通孔２ａに対して、灯具ユニット１００に備え付けられた取付バネ１８０によって取り付けられている。つまり、灯具ユニット１００は、貫通孔２ａに埋め込み配設される。一方、電源ユニット２００は、天井２の裏面（天井裏）に配置される。貫通孔２ａは、灯具ユニット１００を天井２に取り付けるための開口部であり、天井２を貫通している。貫通孔２ａは、灯具ユニット１００が埋め込み配設される埋込穴であり、例えば円形開口の円形孔である。また、図３に示すように、貫通孔２ａの孔軸Ｊ１の方向（貫通方向）は、鉛直方向である。つまり、貫通孔２ａの孔軸Ｊ１は、天井２の天井面２ｂに垂直である。
【００１５】
灯具ユニット１００は、光源１１０を有する灯体であり、照明光を出射する。例えば、灯具ユニット１００は、照明光として白色光を照射する。本実施の形態において、灯具ユニット１００の光軸Ｊ２は、天井面２ｂに対して傾斜している。したがって、灯具ユニット１００は、天井２から斜め方向に向かって照明光を照射する。
【００１６】
電源ユニット２００は、光源１１０を発光させるための電力を生成する電源機能を有する。具体的には、電源ユニット２００は、電源部２１０によって、電源端子台２３０から供給される商用電源からの交流電力を直流電力に変換する。
【００１７】
灯具ユニット１００と電源ユニット２００とは、電力線３００によって電気的に接続されており、電源ユニット２００で生成された直流電力は、電力線３００を介して灯具ユニット１００の光源１１０に供給される。電力線３００は、電源ケーブル等の電力供給線である。
【００１８】
電源ユニット２００は、灯具ユニット１００と別置されている。つまり、電源ユニット２００は、灯具ユニット１００の外部に設置される。本実施の形態において、電源ユニット２００は、灯具ユニット１００に対して相対的に移動可能な状態で、灯具ユニット１００に接続されている。これにより、電源ユニット２００を設置する位置を調整することができる。具体的には、灯具ユニット１００と電源ユニット２００とは電力線３００によって接続されているので、電源ユニット２００は、電力線３００の長さの範囲内で動かすことができる。
【００１９】
以下、照明装置１の各構成部材の具体的な構成について、図１〜図３を参照して、図４〜図６を用いて詳細に説明する。図４は、実施の形態に係る照明装置１の灯具ユニット１００の断面図である。図５は、同灯具ユニット１００における挿通孔１２５周辺の構成を示す拡大斜視図である。図６は、同灯具ユニット１００における放熱フィン１２７周辺の構成を示す拡大平面図である。なお、図４は、灯具ユニット１００の断面部分のみを図示している。また、図５及び図６において、電力線３００は省略している。また、詳細は図示も説明もされていないが、照明装置１には、各構成部材同士を連結固定するためのネジが適宜設けられている。
【００２０】
［灯具ユニット］
図１〜図４に示すように、灯具ユニット１００は、光源１１０と、器具本体１２０と、反射板１３０と、透光カバー１４０と、枠体１５０と、取付バネ１８０とを有する。
【００２１】
［光源］
図３及び図４に示すように、光源１１０は、例えば照明光として白色光を照射する光源モジュールである。本実施の形態において、光源１１０は、ＬＥＤによって構成されたＬＥＤモジュール（ＬＥＤ光源）である。
【００２２】
光源１１０は、基板１１１と、発光部１１２とを備える。本実施の形態において、光源１１０は、ＬＥＤが基板１１１に直接実装されたＣＯＢ（Ｃｈｉｐ  Ｏｎ  Ｂｏａｒｄ）構造である。
【００２３】
基板１１１は、ＬＥＤを実装するための実装基板であって、例えば、セラミックス基板、樹脂基板又はメタルベース基板等である。なお、基板１１１には、ＬＥＤを発光させるための直流電力を外部から受電するための一対の電極端子と、ＬＥＤ同士を電気的に接続するための所定のパターンの金属配線とが形成されている。一対の電極端子には、電力線３００が接続されている。
【００２４】
発光部１１２は、基板１１１に実装された複数のＬＥＤと、複数のＬＥＤを封止する封止部材とを有する。
【００２５】
ＬＥＤは、発光素子の一例であり、本実施の形態では、単色の可視光を発するベアチップである。ＬＥＤは、例えば、通電されれば青色光を発する青色ＬＥＤチップである。ＬＥＤは、例えば基板にマトリクス状に複数個配置されている。なお、ＬＥＤは、少なくとも１つ配置されていればよい。
【００２６】
封止部材としては、例えば透光性樹脂が用いられる。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体としては、ＬＥＤが青色光を発光する青色ＬＥＤチップである場合、白色光を得るために、例えばＹＡＧ系の黄色蛍光体を用いることができる。この場合、黄色蛍光体が、青色ＬＥＤチップが発した青色光の一部を吸収して励起されて黄色光を放出する。そして、この黄色光と黄色蛍光体に吸収されなかった青色光とが混ざって白色光となって光源１１０から出射する。
【００２７】
本実施の形態において、封止部材は、全てのＬＥＤを一括封止するように平面視形状が円形となるように形成されている。封止部材の外形は、発光部１１２の外形を規定する。なお、封止部材は、円形以外の形状（例えば矩形状）となるようにＬＥＤを一括封止してもよい。また、封止部材は、全てのＬＥＤを一括封止するのではなく、複数のＬＥＤを列ごとにライン状に封止してもよいし、各ＬＥＤを１つずつ個別に封止してもよい。
【００２８】
このように構成される光源１１０は、器具本体１２０に取り付けられている。本実施の形態では、反射板１３０によって光源１１０を器具本体１２０に押さえつけ、反射板１３０と器具本体１２０とをネジ等によって固定することで、光源１１０を器具本体１２０の所定の位置に固定することができる。なお、反射板１３０とは別に設けたホルダによって光源１１０を器具本体１２０に固定してもよい。
【００２９】
光源１１０は、電源ユニット２００の電源部２１０から供給される電力によって発光する。光源１１０（発光部１１２）が発した光は、透光カバー１４０を透過して照明装置１の外部に出射される。
【００３０】
また、本実施の形態において、光源１１０は、天井面２ｂに対して傾斜した状態で器具本体１２０に取り付けられている。つまり、光源１１０の発光部１１２の発光面は、鉛直方向を法線とする水平面に対して傾斜している。したがって、灯具ユニット１００が貫通孔２ａに取り付けられたときに、光源１１０の発光部１１２の光軸は、天井面２ｂの法線と平行ではなく、天井面２ｂに対して傾斜している。すなわち、光源１１０（発光部１１２）の光軸は、天井２の貫通孔２ａの開口面に対して傾斜している。なお、光源１１０（発光部１１２）の光軸は、灯具ユニット１００の光軸Ｊ２と同じである。
【００３１】
また、光源１１０の発光部１１２は、貫通孔２ａの孔軸Ｊ１からずれて配置されている。つまり、貫通孔２ａの孔軸Ｊ１は、光源１１０の発光部１１２と交差していない。
【００３２】
［器具本体］
図４に示すように、器具本体１２０は、光源１１０が取り付けられる基台である。本実施の形態において、器具本体１２０は、灯具ユニット１００の外郭を構成する外郭部材である。
【００３３】
器具本体１２０は、光源１１０を保持する保持部材として機能するとともに、光源１１０で発生した熱を放熱するヒートシンクとしても機能する。したがって、器具本体１２０は、アルミニウム等の金属材料又は高熱伝導樹脂等の熱伝導率の高い材料によって作製されているとよい。本実施の形態において、器具本体１２０は、アルミダイカスト製である。
【００３４】
器具本体１２０は、光源１１０が収納される凹部１２１を有する。具体的には、器具本体１２０は、円盤状の底部１２２と、内面が略円筒面状の側壁部１２３とを有しており、凹部１２１は、底部１２２と側壁部１２３とによって囲まれる領域である。なお、凹部１２１には、光源１１０だけではなく、反射板１３０の一部も収納される。
【００３５】
底部１２２は、凹部１２１の底面をなす第１面１２２ａと、第１面１２２ａに背向する第２面１２２ｂとを有する。第１面１２２ａは、器具本体１２０の内面である。第２面１２２ｂは、器具本体１２０の外面であって、外部に露出する露出面である。また、第２面１２２ｂは、器具本体１２０の上面である。
【００３６】
底部１２２には、光源１１０が載置される載置部１２４が設けられている。具体的には、載置部１２４は、底部１２２の第１面１２２ａ（凹部１２１の底面）から透光カバー１４０に向かって突出するように形成されている。光源１１０は、この突出した載置部１２４の頂面に載置されている。
【００３７】
光源１１０と載置部１２４との間には熱伝導シート又は熱伝導板等の熱伝導部材１６０が挿入されている。熱伝導部材１６０を設けることで、光源１１０で発生する熱を効率良く器具本体１２０に伝導させることができる。なお、熱伝導部材１６０は、グリース等であってもよい。
【００３８】
図４及び図５に示すように、器具本体１２０における凹部１２１に背向する外面には、鉛直方向を法線とする水平面に対して傾斜する傾斜面が含まれている。具体的には、器具本体１２０における底部１２２の第２面１２２ｂに傾斜面が含まれており、この傾斜面は、天井面２ｂに対して傾斜している。つまり、第２面１２２ｂの傾斜面は、天井２の貫通孔２ａの開口面に対して傾斜している。なお、本実施の形態では、底部１２２の第２面１２２ｂの全体が傾斜しており、第２面１２２ｂ全体が傾斜面になっている。一例として、この傾斜面の天井面２ｂに対する傾斜角（貫通孔２ａの開口面に対する傾斜角）は、例えば、１５°〜６０°であり、本実施の形態では、３０°としている。
【００３９】
また、本実施の形態では、底部１２２そのものが天井面２ｂに対して傾斜した状態で設けられている。このため、第２面１２２ｂが天井面２ｂに対して傾斜しているだけではなく、載置部１２４が形成された第１面１２２ａも天井面２ｂに対して傾斜している。
【００４０】
器具本体１２０は、電力線３００が挿通される挿通孔１２５を有する。挿通孔１２５は、電力線３００を配線する配線口であり、器具本体１２０を貫通している。本実施の形態において、挿通孔１２５は、器具本体１２０の底部１２２を貫通している。具体的には、挿通孔１２５は、底部１２２の第２面１２２ｂから第１面１２２ａまでを貫通するように形成されている。なお、挿通孔１２５は、平面視形状が矩形状の開口となるように形成されているが、挿通孔１２５の開口形状は、矩形状に限るものではなく、例えば円形状であってもよい。
【００４１】
挿通孔１２５は、第２面１２２ｂの傾斜面に設けられている。したがって、挿通孔１２５の第２面１２２ｂにおける開口面は、傾斜している。
【００４２】
また、挿通孔１２５には、シール部材１７０が配置されている。シール部材１７０は、挿通孔１２５を塞ぐ蓋として機能する。シール部材１７０を挿通孔１２５に配置することで、挿通孔１２５を封止することができる。シール部材１７０には、電力線３００が挿通する貫通孔を有する。本実施の形態において、電力線３００は２本であるので、シール部材１７０には２つの貫通孔が設けられている。電力線３００は、シール部材１７０と隙間を空けることなく貫通孔に挿通される。
【００４３】
シール部材１７０は、例えばシリコーンやエラストマー等の弾性を有する絶縁樹脂材料によって形成されている。したがって、シール部材１７０の貫通孔に挿通される電力線３００は、シール部材１７０の弾性による押圧によってシール部材１７０と隙間なく密着している。
【００４４】
このように、シール部材１７０を設けることで、挿通孔１２５に蓋をすることができるので、器具本体１２０の第２面１２２ｂに水が存在していても挿通孔１２５から器具本体１２０の内部に水が浸入することを抑制することができる。本実施の形態では、シール部材１７０には外方に向かって突出部が設けられているので、挿通孔１２５とシール部材１７０の上面との間に水が溜まることを抑制できるとともに、挿通孔１２５から器具本体１２０内に水が浸入することを一層抑制できる。
【００４５】
また、図４〜図６に示すように、器具本体１２０には、器具本体１２０の一部から横方向に突出する放熱部１２６が設けられている。つまり、器具本体１２０は、上端部が折れ曲がるように形成されており、この器具本体１２０の折れ曲がった部分が放熱部１２６となっている。具体的には、放熱部１２６は、側壁部１２３から横方向に突出して水平面と略平行に延在するように形成されている。つまり、放熱部１２６は、天井面２ｂに沿って延在している。本実施の形態において、光源１１０の発光部１１２は貫通孔２ａの孔軸Ｊ１からずれて配置されており、放熱部１２６は、光源１１０が位置する方向とは反対方向に延在している。
【００４６】
このように、器具本体１２０の一部から横方向に突出する放熱部１２６を設けることによって、断熱施工により天井裏に配置された断熱材によって器具本体１２０が覆われてしまう場合や天井懐が狭い場合であっても、器具本体１２０の放熱容量（包絡体積）を稼ぐことができるので光源１１０で発生した熱を効率良く放熱させることができる。
【００４７】
本実施の形態において、底部１２２が水平面（天井面２ｂ）に対して傾斜しているので、水平面と略平行に延在する放熱部１２６は、底部１２２に対して傾斜している。したがって、底部１２２の外面（第２面１２２ｂ）は、放熱部１２６の外面から折れ曲がるように傾斜している。
【００４８】
また、器具本体１２０は、複数の放熱フィン１２７を有する。複数の放熱フィン１２７も放熱部として機能する。複数の放熱フィン１２７の各々は、平板状であり、器具本体１２０の外面に立設されている。複数の放熱フィン１２７は、器具本体１２０と一体的に設けられている。このように、器具本体１２０に複数の放熱フィン１２７を設けることによって、光源１１０で発生する熱を効率よく放熱させることができる。
【００４９】
本実施の形態において、複数の放熱フィン１２７の各々の少なくとも一部は、第２面１２２ｂの傾斜面に位置している。複数の放熱フィン１２７の各々は、第２面１２２ｂの傾斜面の傾斜方向に延在する部分を有する。具体的には、複数の放熱フィン１２７の各々は、凹部１２１に背向する外面（つまり、光源１１０に対向する部分の第２面１２２ｂ）から放熱部１２６にわたって延在している。つまり、複数の放熱フィン１２７は、器具本体１２０における凹部１２１に背向する部分と放熱部１２６とに設けられている。このように、放熱フィン１２７を光源１１０に対向する部分から放熱部１２６にわたって設けることで、光源１１０で発生する熱を効率良く放熱フィン１２７に伝導させて放熱させることができる。本実施の形態では、３つの放熱フィン１２７が設けられている。
【００５０】
図５及び図６に示すように、複数の放熱フィン１２７は、互いに対向する第１放熱フィン１０及び第２放熱フィン２０と、第１放熱フィン１０と第２放熱フィン２０との間に設けられた第３放熱フィン３０とを含む。本実施の形態において、複数の放熱フィン１２７は、第１放熱フィン１０と第２放熱フィン２０と第３放熱フィン３０との３つの放熱フィンによって構成されている。
【００５１】
第１放熱フィン１０は、第１フィン本体部１１と、第１フィン本体部１１に設けられた第１フィン傾斜部１２とを有する。第２放熱フィン２０は、第２フィン本体部２１と、第２フィン本体部２１に設けられた第２フィン傾斜部２２とを有する。
【００５２】
第１フィン本体部１１及び第２フィン本体部２１の各々は、第２面１２２ｂの傾斜面の傾斜方向に延在しており、器具本体１２０における凹部１２１に背向する部分と放熱部１２６とにわたって設けられている。したがって、第１フィン本体部１１及び第２フィン本体部２１は、第２面１２２ｂの傾斜面にも設けられている。
【００５３】
第１フィン傾斜部１２及び第２フィン傾斜部２２は、第２面１２２ｂの傾斜面に形成されている。第１フィン傾斜部１２は、第１フィン本体部１１から第２放熱フィン２０側に向かって斜め下方に延在している。具体的には、第１フィン傾斜部１２は、第１フィン本体部１１の第２放熱フィン２０側の側壁面から突出して第２面１２２ｂの傾斜面を斜め下方に沿って設けられている。また、第２フィン傾斜部２２は、第２フィン本体部２１から第１放熱フィン１０側に向かって斜め下方に延在している。具体的には、第２フィン傾斜部２２は、第２フィン本体部２１の第１放熱フィン１０側の側壁面から突出して第２面１２２ｂの傾斜面を斜め下方に沿って設けられている。
【００５４】
第１フィン傾斜部１２の先端部及び第２フィン傾斜部２２の先端部の各々は、器具本体１２０の底部１２２を介して光源１１０と対向する位置に存在している。つまり、第１フィン傾斜部１２は、第１フィン本体部１１から光源１１０が存在する位置まで延在しており、第２フィン傾斜部２２は、第２フィン本体部２１から光源１１０が存在する位置まで延在している。
【００５５】
本実施の形態において、第１フィン傾斜部１２は、第１フィン本体部１１と一体に設けられており、第１フィン本体部１１と連続している。なお、第１フィン傾斜部１２と第１フィン本体部１１との上面は、面一であるが、これに限らない。同様に、第２フィン傾斜部２２は、第２フィン本体部２１と一体に設けられており、第２フィン本体部２１と連続している。なお、第２フィン傾斜部２２と第２フィン本体部２１との上面は、面一であるが、これに限らない。
【００５６】
また、本実施の形態において、第１フィン傾斜部１２及び第２フィン傾斜部２２の各々は、複数設けられている。具体的には、第１フィン傾斜部１２及び第２フィン傾斜部２２は、２つずつ設けられている。
【００５７】
複数の第１フィン傾斜部１２の各々は、第１フィン本体部１１の同じ側壁面から突出するように設けられている。なお、複数の第１フィン傾斜部１２は、同じ傾斜角で斜め下方に延在しているが、これに限るものではなく、異なる傾斜角で斜め方向に延在していてもよい。
【００５８】
同様に、複数の第２フィン傾斜部２２の各々は、第２フィン本体部２１の同じ側壁面から突出するように設けられている。なお、複数の第２フィン傾斜部２２は、同じ傾斜角で斜め下方に延在しているが、これに限るものではなく、異なる傾斜角で斜め方向に延在していてもよい。
【００５９】
第１フィン傾斜部１２及び第２フィン傾斜部２２は、互いに近づくように延在しており、第１フィン傾斜部１２の先端部と第２フィン傾斜部２２の先端部との間には隙間４０が存在している。隙間４０と挿通孔１２５とは、第２面１２２ｂの傾斜面の傾斜方向に並んでいる。具体的には、隙間４０は、挿通孔１２５の傾斜方向の下方側に位置している。
【００６０】
第３放熱フィン３０は、第１放熱フィン１０及び第２放熱フィン２０と同様に、第２面１２２ｂの傾斜面の傾斜方向に延在しており、器具本体１２０における凹部１２１に背向する部分と放熱部１２６とにわたって設けられている。したがって、第３放熱フィン３０は、第２面１２２ｂの傾斜面にも設けられている。
【００６１】
本実施の形態において、第３放熱フィン３０は、第２面１２２ｂの傾斜面の傾斜方向に延在するフィン本体部のみによって構成されており、第１放熱フィン１０側又は第２放熱フィン２０側に向かって斜め下方に延在するフィン傾斜部を有していない。
【００６２】
具体的には、第３放熱フィン３０は、第１放熱フィン１０の第１フィン本体部１１及び第２放熱フィン２０の第２フィン本体部２１よりも短く、第３放熱フィン３０は、第２面１２２ｂの傾斜面の傾斜方向に沿って、放熱部１２６の先端部から挿通孔１２５の位置まで延在している。したがって、第３放熱フィン３０と挿通孔１２５とは、第２面１２２ｂの傾斜面の傾斜方向に並んでいる。具体的には、第３放熱フィン３０は、挿通孔１２５の傾斜方向の上方側に位置している。
【００６３】
図１〜図３に示すように、複数の放熱フィン１２７のうち隣り合う２つの放熱フィン１２７の間には、電力線３００が配置されている。つまり、電源ユニット２００から導出された電力線３００は、隣り合う２つの放熱フィン１２７の間を通って挿通孔１２５に挿通されて光源１１０に接続されている。具体的には、図５及び図６に示すように、電力線３００は、第１放熱フィン１０の第１フィン本体部１１と第３放熱フィン３０との間を通って挿通孔１２５に挿通されている。
【００６４】
また、放熱部１２６の先端部には、電力線３００を保持するための保持部１２８（電力線保持部）が設けられている。本実施の形態において、保持部１２８は、放熱部１２６の先端部から突出させた突出部に設けられた貫通孔である。この貫通孔に電力線３００を通すことで、電力線３００の動きを規制して電力線３００を保持することができる。
【００６５】
保持部１２８は、灯具ユニット１００の固定端であり、電源ユニット２００は、この固定端（保持部１２８）を基点に相対的に移動可能となっている。これにより、保持部１２８を支点にして、保持部１２８から電源ユニット２００までの電力線３００の長さの範囲内で電源ユニット２００を自由に可動させることができる。具体的には、保持部１２８を支点にして電源ユニット２００を天井裏面（水平面）に沿って可動させることができる。なお、貫通孔である保持部１２８に電力線３００を単に挿通させるだけではなく、保持部１２８で電力線３００を固定してもよい。このように、保持部１２８で電力線３００を固定することで、電源ユニット２００の移動により、電力線３００に接続される光源１１０にストレスがかかることを抑制できる。更に、電力線３００は、保護チューブに挿入されて、挿通孔１２５から電源ユニット２００まで接続し、電力線３００が挿入された保護チューブを保持部１２８で固定してもよい。
【００６６】
［反射板］
図３及び図４に示される反射板１３０は、光源１１０から出射した光を反射する反射部材である。具体的には、反射板１３０の内面は、光源１１０からの光を反射させる反射面となっており、反射板１３０は、反射面によって光源１１０から出射した光を所望の方向に向くように制御している。一例として、反射板１３０は、内面形状が円錐台形状であり、内径が光入射側（光源側）の開口部から光出射側の開口部に向かって漸次大きくなるように構成されている。
【００６７】
反射板１３０は、例えば樹脂材料又は金属材料によって形成することができる。具体的には、反射板１３０は、ＰＢＴ（ポリブチレンテレフタレート）等の樹脂材料を用いた作製された白色の樹脂成型品であってもよいし、樹脂成型品の内面にアルミニウム等の金属膜が形成されたものであってもよいし、アルミニウム等の金属材料によって形成された金属部品であってもよい。
【００６８】
このように構成される反射板１３０は、器具本体１２０に取り付けられている。具体的には、反射板１３０は、光源１１０を押さえつけた状態で器具本体１２０に固定されている。
【００６９】
［透光カバー］
図３及び図４に示される透光カバー１４０は、透光性を有する材料によって形成された透光部材である。具体的には、透光カバー１４０は、アクリル（ＰＭＭＡ）又はポリカーボネート（ＰＣ）等の透明樹脂材料又はガラス材料によって形成することができる。
【００７０】
透光カバー１４０は、光源１１０を覆うように配置される。具体的には、透光カバー１４０は、反射板１３０の光出射側の開口部を覆うように、枠体１５０に取り付けられている。言い換えると、透光カバー１４０の背面側に光源１１０が配置されている。透光カバー１４０を設けることによって光源１１０を保護することができる。なお、透光カバー１４０は、反射板１３０も覆っている。
【００７１】
本実施の形態において、透光カバー１４０は、厚みが略一定で平板状の透光板であり、枠体１５０の光源１１０側の開口部を覆うように枠体１５０に取り付けられている。なお、透光カバー１４０は、平板状の透光板に限るものではない。例えば、透光カバー１４０は、ドーム状に湾曲していてもよい。
【００７２】
また、透光カバー１４０は、透明であってもよいが、光拡散性（光散乱性）を有していてもよい。例えば、透光性樹脂材料に光反射微粒子等の光拡散材を分散させて透光カバー１４０を作製することで、透光カバー１４０として光拡散性を有する乳白の拡散カバーを得ることができる。このように、透光カバー１４０に光拡散性を持たせることで、光源１１０を直接視認されることを抑制したり、反射板１３０で集めた光を照射する壁や床に向かって柔らかく拡散したりできる。本実施の形態において、透光カバー１４０は、拡散カバーである。
【００７３】
なお、透光カバー１４０に光拡散性を持たせる場合、光拡散材を透光部材の内部に分散させた構成に限らない。例えば、透光部材の表面（内面又は外面）に光拡散材等を含む乳白色の光拡散膜を形成したり、光拡散材を用いるのではなくシボ加工処理等によって透光部材の表面に複数の微小凹凸（ドット、プリズム）を形成したりしてもよい。
【００７４】
また、透光カバー１４０は、レンズ機能を有していてもよい。例えば、透光カバー１４０に集束機能を持たせることで光源１１０からの光を集光することができ、狭配光角の照明光（スポット光）を実現できる。この場合、透光カバー１４０としては、フレネルレンズ等のレンズ部品とすることができる。また、透光カバー１４０に発散機能を持たせることで、光源１１０からの光を拡大することができ、広配光角の照明光を実現できる。
【００７５】
光源１１０から出射した光は、透光カバー１４０を透過して外部に出射する。このとき、透光カバー１４０は、光源１１０からの光によって疑似発光する面発光部として機能する。つまり、透光カバー１４０の外面は、発光面（疑似発光面）となる。
【００７６】
このように構成される透光カバー１４０は、天井面２ｂに対して傾斜して配置されている。具体的には、透光カバー１４０は、天井面２ｂに対して傾斜した状態で枠体１５０に取り付けられている。つまり、透光カバー１４０の発光面は、天井２の貫通孔２ａの開口面に対して傾斜しており、鉛直方向を法線とする水平面に対して傾斜している。このように、透光カバー１４０の発光面を傾斜させることで、灯具ユニット１００の照明光の照射方向を傾斜させることができる。
【００７７】
本実施の形態において、透光カバー１４０と光源１１０とは同じ傾斜角で傾斜している。具体的には、透光カバー１４０は、光源１１０の発光部１１２の発光面と略平行となるように配置されている。したがって、透光カバー１４０の発光面と光源１１０（発光部１１２）の発光面とは略平行であり、透光カバー１４０の光軸（中心軸）と光源１１０（発光部１１２）の光軸とは一致している。つまり、透光カバー１４０の光軸は、灯具ユニット１００の光軸Ｊ２と同じになっている。
【００７８】
［枠体］
図３及び図４に示すように、枠体１５０は、光源１１０から出射した光が通過する筒状体である。本実施の形態において、枠体１５０は、灯具ユニット１００の外郭を構成する外枠である。
【００７９】
枠体１５０の光源１１０側の開口部には透光カバー１４０が配置されている。したがって、枠体１５０には、光源１１０から出射して透光カバー１４０を透過した光が入射し、枠体１５０に入射した光は、枠体１５０内を通過して枠体１５０から外部に出射される。なお、枠体１５０は、補助反射板としても機能し、枠体１５０の内面に入射した光は枠体１５０の内面で反射して枠体１５０の外部に出射する。
【００８０】
枠体１５０には、灯具ユニット１００を天井２の貫通孔２ａに取り付けるための取付部材である取付バネ１８０が接続されている。取付バネ１８０は、例えば金属板からなる板バネである。本実施の形態では、３つの取付バネ１８０が枠体１５０の外周面に取り付けられている。具体的には、３つの取付バネ１８０は、１８０度間隔で配置された一対の取付バネ１８０と、これらの一対の取付バネ１８０の各々と９０度間隔で配置された１つの取付バネ１８０とによって構成されている。つまり、枠体１５０の周方向に沿って、０度、９０度及び１８０度の３ヵ所に取付バネ１８０が設けられている。なお、取付バネ１８０の内、前述の９０度の方向に配置された取付バネ１８０は、貫通孔２ａの貫通方向から見たときに、放熱部１２６と重なる位置に配置されている。つまり、この取付バネ１８０の１つは、放熱部１２６の下方に位置している。
【００８１】
これにより、器具本体１２０の横方向に放熱部１２６が突出することで偏荷重となった灯具ユニット１００であっても、灯具ユニット１００が傾くことなく貫通孔２ａに灯具ユニット１００を保持させることができる。しかも、照明装置１を天井裏に設置する際に貫通孔２ａに放熱部１２６を挿入する過程で、必要以上に取付バネ１８０を屈曲させることがなくなるので、取付バネ１８０が予定外の形状に変形してしまうことを抑制することができる。更には、天井２が床面に対して傾斜し、灯具ユニット１００が床面を照射する方向に配置された場合にも、安定して灯具ユニット１００を保持することができる。
【００８２】
枠体１５０は、アルミニウム等の金属材料によって構成されている。本実施の形態において、枠体１５０は、アルミダイカスト製である。本実施の形態では、枠体１５０には、白塗装が施されている。枠体１５０は、貫通孔２ａ取り付けられたときに外部に露出するため、天井２の色に合わせた塗装（黒塗装など）が施されていてもよい。なお、枠体１５０の材質は、金属材料に限るものではなく、樹脂材料であってもよい。
【００８３】
また、枠体１５０は、径方向の外向きに突出するフランジ部（鍔部）１５１を有する。フランジ部１５１は、枠体１５０の光出射側の縁部に設けられている。具体的には、フランジ部１５１は、枠体１５０の光出射側の端部から枠体１５０の外方に突出するように環状に設けられている。
【００８４】
灯具ユニット１００を天井２の貫通孔２ａに取り付ける際、枠体１５０のフランジ部１５１を天井２の天井面２ｂに係止させて枠体１５０の外周面に設けられた３つの取付バネ１８０の弾性変形させた状態で灯具ユニット１００を貫通孔２ａに挿入し、取付バネ１８０の弾性復元することで、枠体１５０が取付バネ１８０の付勢力で天井２に固定される。具体的には、バネ復元力によって天井２の貫通孔２ａの内側面を取付バネ１８０が押圧することで、灯具ユニット１００を貫通孔２ａに保持させることができる。
【００８５】
枠体１５０は、器具本体１２０の凹部１２１の開口部に取り付けられている。具体的には、枠体１５０は、器具本体１２０の側壁部１２３に取り付けられている。例えば、枠体１５０は、ねじ等によって器具本体１２０に固定されている。したがって、枠体１５０を天井２に取り付けることで、枠体１５０とともに器具本体１２０も天井２に固定される。
【００８６】
また、器具本体１２０の第２面１２２ｂの傾斜面の下端側に対応する器具本体１２０の側面における枠体１５０との接続部分は、第２面１２２ｂの傾斜面の下端側に対応する枠体１５０の側面における器具本体１２０との接続部分よりも外側に位置している。つまり、器具本体１２０の第２面１２２ｂの傾斜面の下端側において、枠体１５０の側面と器具本体１２０の側壁部１２３の側面とがずれて設けられており、枠体１５０の側面は、器具本体１２０の側壁部１２３の側面よりも内側に後退している。言い換えると、第２面１２２ｂの傾斜面の下端側において、器具本体１２０の側壁部１２３の側面は、枠体１５０の側面よりも外方に突出しており、枠体１５０の側面と器具本体１２０の側壁部１２３の側面との間に段差が設けられている。
【００８７】
枠体１５０の側面と器具本体１２０の側面とのずれ幅である段差幅（枠体１５０の側面の後退量）は、例えば０．５ｍｍ〜２ｍｍであるが、これに限るものではない。また、枠体１５０の側面は、枠体１５０の側面全周において、器具本体１２０の側壁部１２３の側面よりも内側に後退していてもよいが、第２面１２２ｂの傾斜面の下端側においてのみ、器具本体１２０の側面よりも内側に後退していてもよい。
【００８８】
［電源ユニット］
図１〜図３に示すように、電源ユニット２００は、電源部２１０と、電源部２１０を収納する筐体２２０とを有する。上記のように、電源ユニット２００は、灯具ユニット１００の外部に設置される。したがって、電源部２１０及び筐体２２０は、灯具ユニット１００の器具本体１２０の外部に設置される。電源部２１０は、電力線３００を介して光源１１０と電気的に接続されている。
【００８９】
電源部２１０は、光源１１０を発光させるための電源装置である。具体的には、電源部２１０は、光源１１０の発光部１１２における発光素子（ＬＥＤ）を発光させるための電力を生成する電源回路によって構成されている。この場合、電源部２１０は、商用電源等の外部電源からの交流電力を、整流、平滑及び降圧等して所定レベルの直流電力に変換する。電源部２１０で生成された直流電力は、電力線３００を介して光源１１０に供給される。なお、電源部２１０には、調光回路や昇圧回路などが組み合わされていてもよい。
【００９０】
電源部２１０は、例えば、所定形状の金属配線が形成されたプリント回路基板と、プリント回路基板に実装された複数の回路素子とを有する。回路基板に実装される回路素子は、光源１１０を発光させるための電子部品であり、例えば、容量素子（電解コンデンサ、セラミックコンデンサ等）、抵抗素子（抵抗器等）、整流回路素子、コイル素子、チョークコイル（チョークトランス）、ノイズフィルタ、ダイオード、集積回路素子（ＩＣ）、又は、半導体素子（ＦＥＴ等）等である。
【００９１】
筐体２２０は、金属製又は絶縁樹脂製のケースである。本実施の形態において、筐体２２０は、金属ケースである。電源部２１０を収納する筐体２２０は、電源ボックスとして天井裏に配置される。
【００９２】
また、電源ユニット２００には、電源端子台２３０が設けられている。電源端子台２３０にはＶＶＦケーブル等の電線が接続されており、この電線によって商用電源からの交流電力が電源端子台２３０に供給される。電源端子台２３０に供給された交流電力は、電源部２１０に供給される。
【００９３】
［電力線］
図１〜図３に示すように、電力線３００は、光源１１０と電源部２１０とを電気的に接続するための導電線である。具体的には、電力線３００は、光源１１０を発光させるための直流電力を、電源部２１０から光源１１０に供給するための電源線である。具体的には、電力線３００は、器具本体１２０に設けられた挿通孔１２５に挿通されており、電力線３００の一方端は、器具本体１２０内に配置された光源１１０と電気的に接続され、電力線３００の他方端は、電源部２１０と電気的に接続される。
【００９４】
本実施の形態おいて、電力線３００は、複数である。具体的には、電力線３００は、一対設けられている。一対の電力線３００の一方は、高電位側の第１電力線であり、一対の電力線３００の他方は、低電位側の第２電力線である。一対の電力線３００の各々は、例えば、合金銅等の導電材料からなる芯線と当該芯線を被覆する絶縁性の樹脂被膜とによって構成されたリード線である。なお、電力線３００には、さらに、器具本体１２０等に接触するアース用の電線が含まれていてもよい。
【００９５】
［照明装置の作用効果］
次に、本実施の形態に係る照明装置１の作用効果について、図７及び図８を用いて本発明に至った経緯も含めて説明する。図７は、比較例１の照明装置１Ｘにおける器具本体１２０Ｘの挿通孔１２５Ｘ周辺の構造を示す図である。図８は、比較例２の照明装置１Ｙにおける器具本体１２０Ｘの挿通孔１２５Ｘ周辺の構造を示す図である。
【００９６】
図７に示すように、電源ユニットの電源部（不図示）と光源１１０とを接続する電力線３００は、器具本体１２０Ｘの上面に設けられた挿通孔１２５Ｘに挿通される。挿通孔１２５Ｘは、電力線３００を挿通する貫通孔が設けられたシール部材１７０Ｘによって蓋をされている。
【００９７】
しかしながら、図７に示される照明装置１Ｘでは、雨漏り等の浸水や空気中の水蒸気の結露等によって器具本体１２０Ｘの上面に水が発生すると、図７に示すように、挿通孔１２５Ｘ付近に水３が溜まることがある。
【００９８】
また、図８に示される照明装置１Ｙのように、器具本体１２０Ｘに設けられた挿通孔１２５Ｘを覆うようにシール部材１７０Ｙを設けたとしても、図８に示すように、挿通孔１２５Ｘ付近に水３が溜まることがある。
【００９９】
このように、図７及び図８に示すように、挿通孔１２５Ｘ付近に水が溜まった状態が続くと、器具本体１２０における挿通孔１２５Ｘ付近の部分やシール部材１７０Ｘ又は１７０Ｙが腐食して、器具本体１２０Ｘとシール部材１７０Ｘ又は１７０Ｙとの間に隙間が生じることになる。この結果、この隙間を通じて器具本体１２０Ｘの上面から器具本体１２０Ｘの内部に水が浸入し、光源１１０等の充電部に水が到達して漏電等の不具合が発生するおそれがある。特に、照明装置が屋外に設置される場合には、このような水に起因する不具合が生じやすい。
【０１００】
これに対して、本実施の形態に係る照明装置１では、図４〜図６に示すように、電力線３００が挿通される挿通孔１２５は、器具本体１２０の外面である第２面１２２ｂの傾斜面に設けられている。
【０１０１】
この構成により、雨漏りや結露等によって器具本体１２０の第２面１２２ｂに水が付着したとしても、図４の矢印で示すように、第２面１２２ｂに付着した水３を第２面１２２ｂの傾斜面に沿って下方に流すことができるので、挿通孔１２５付近に水が溜まることを抑制できる。これにより、器具本体１２０における挿通孔１２５付近の部分やシール部材１７０が腐食して器具本体１２０とシール部材１７０との間に隙間が生じることを抑制できる。したがって、器具本体１２０の第２面１２２ｂから挿通孔１２５を介して器具本体１２０の内部に水が浸入することを抑制できるので、漏電等の不具合が発生することを抑制できる。
【０１０２】
また、本実施の形態における照明装置１において、器具本体１２０は、少なくとも一部が第２面１２２ｂの傾斜面に位置する複数の放熱フィン１２７を有しており、複数の放熱フィン１２７の各々は、傾斜面の傾斜方向に延在する部分を有する。
【０１０３】
この構成により、第２面１２２ｂの傾斜面に付着した水は、放熱フィン１２７に沿って傾斜面の傾斜方向に流れやすくなる。つまり、複数の放熱フィン１２７は、傾斜面に付着した水を傾斜面の傾斜方向に流しやすくするガイドとして機能する。
【０１０４】
また、本実施の形態における照明装置１において、複数の放熱フィン１２７は、互いに対向する第１放熱フィン１０及び第２放熱フィン２０を含んでおり、第１放熱フィン１０の第１フィン傾斜部１２の先端部と第２放熱フィン２０の第２フィン傾斜部２２の先端部との間には隙間４０が存在している。つまり、第１放熱フィン１０の第１フィン傾斜部１２と第２放熱フィン２０の第２フィン傾斜部２２との間が開口している。
【０１０５】
この構成により、第２面１２２ｂの傾斜面を流れる水は、互いに近づくように斜め下方に延在する第１フィン傾斜部１２及び第２フィン傾斜部２２によって隙間４０（開口）に集められ、この隙間４０から第２面１２２ｂの下方に流すことができる。これにより、第２面１２２ｂに水が溜まって挿通孔１２５から器具本体１２０内に水が浸入することを一層抑制できる。
【０１０６】
また、本実施の形態における照明装置１において、第１フィン傾斜部１２及び第２フィン傾斜部２２の各々は、複数設けられている。具体的には、第１放熱フィン１０には２つの第１フィン傾斜部１２が設けられ、第２放熱フィン２０には２つの第２フィン傾斜部２２が設けられている。これにより、第２面１２２ｂの挿通孔１２５付近に水が溜まることを一層抑制することができる。
【０１０７】
また、本実施の形態における照明装置１において、隙間４０と挿通孔１２５とは、第２面１２２ｂの傾斜面の傾斜方向に並んでいる。
【０１０８】
この構成により、第２面１２２ｂの挿通孔１２５付近に付着した水を隙間４０から下方に流しやすくできる。したがって、第２面１２２ｂの挿通孔１２５付近に水が溜まることを一層抑制することができる。
【０１０９】
また、本実施の形態における照明装置１において、第１放熱フィン１０と第２放熱フィン２０との間に設けられた第３放熱フィン３０と挿通孔１２５とは、第２面１２２ｂの傾斜面の傾斜方向に並んでいる。
【０１１０】
この構成により、第３放熱フィン３０が、第２面１２２ｂの傾斜面を流れる水の壁となるので、第２面１２２ｂの挿通孔１２５付近に水が溜まることをさらに抑制することができる。
【０１１１】
また、本実施の形態における照明装置１において、第２面１２２ｂの傾斜面の下端側に対応する器具本体１２０の側面における枠体１５０との接続部分は、第２面１２２ｂの傾斜面の下端側に対応する枠体１５０の側面における器具本体１２０との接続部分よりも外側に位置している。
【０１１２】
この構成により、第２面１２２ｂの傾斜面を流れて器具本体１２０の側面に沿って伝う水が、器具本体１２０と枠体１５０との接続部分から器具本体１２０内に浸入することを抑制できる。これにより、光源１１０等の充電部に水が到達して漏電等の不具合が発生することを一層抑制できる。
【０１１３】
また、本実施の形態における照明装置１において、互いに近づくように斜め下方に延在する第１フィン傾斜部１２及び第２フィン傾斜部２２の各々の先端部は、器具本体１２０を介して光源１１０と対向する位置に存在している。言い換えると、第１フィン傾斜部１２及び第２フィン傾斜部２２は、器具本体１２０における光源１１０と対向する部分から離れるように延在している。
【０１１４】
この構成により、光源１１０で発生した熱は、器具本体１２０を介して光源１１０に対向する位置に存在する第１フィン傾斜部１２及び第２フィン傾斜部２２の先端部に効率良く伝導するとともに、器具本体１２０における光源１１０と対向する部分から離れるように延在する第１フィン傾斜部１２及び第２フィン傾斜部２２を伝導する。これにより、光源１１０で発生した熱を第１放熱フィン１０及び第２放熱フィン２０によって効率良く放熱させることができる。更には、器具本体１２０の外郭部において、光源１１０で発生した熱によって最も高温になるのが第１フィン傾斜部１２及び第２フィン傾斜部２２の各々の先端部、または隙間４０であるため、第２面１２２ｂの傾斜面に沿って水を流すと共に、光源１１０で発生する熱によって水を蒸発する効果も期待できる。
【０１１５】
しかも、本実施の形態における照明装置１では、器具本体１２０には、器具本体１２０の一部から横方向に突出する放熱部１２６が設けられており、第１放熱フィン１０及び第２放熱フィン２０を含む複数の放熱フィン１２７の各々は、器具本体１２０における光源１１０と対向する部分から放熱部１２６にわたって延在している。
【０１１６】
この構成により、光源１１０で発生する熱を放熱フィン１２７及び放熱部１２６によって一層効率良く放熱させることができる。
【０１１７】
以上、本実施の形態における照明装置１によれば、器具本体１２０内に水が浸入することを抑制できるとともに放熱性を向上させることができる。したがって、安全で信頼性に優れた照明装置１を実現することができる。
【０１１８】
（変形例）
以上、本発明に係る照明装置について、実施の形態に基づいて説明したが、本発明は、上記実施の形態に限定されるものではない。
【０１１９】
例えば、器具本体１２０における複数の放熱フィン１２７の形状は、図６に示される形状に限らない。図６に示すように、例えば、上記実施の形態における複数の放熱フィン１２７のうち第３放熱フィン３０は、斜め下方に延在するフィン傾斜部を有していなかったが、図９に示される器具本体１２０Ａの複数の放熱フィン１２７のように、第３放熱フィン３０Ａは、第２面１２２ｂの傾斜面の傾斜方向に延在する第３フィン本体部３１Ａに加えて、斜め下方に延在する第３フィン傾斜部３２Ａを有していてもよい。この場合、本変形例において、第３フィン傾斜部３２Ａは、第３フィン本体部３１Ａの挿通孔１２５側の先端部から第１放熱フィン１０Ａ側及び第２放熱フィン２０Ａ側に向かって斜め下方に延在しており、挿通孔１２５は、２つの第３フィン傾斜部３２Ａによって挟まれている。この構成により、挿通孔１２５から器具本体１２０Ａの内部に水が浸入することを一層抑制することができる。
【０１２０】
また、上記の実施の形態において、光源１１０（ＬＥＤ光源）は基板上にＬＥＤチップを直接実装したＣＯＢ構造としたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板１１１に実装した構成である。光源１１０としてＳＭＤ構造のＬＥＤモジュールを用いる場合、光源１１０の発光部の中心は、基板１１１と光源１１０の光軸（最大光強度）との交差部とすればよい。
【０１２１】
また、上記の実施の形態において、発光部１１２は、青色ＬＥＤチップと黄色蛍光体とによって白色光を放出するように構成したが、これに限らない。例えば、赤色蛍光体及び緑色蛍光体を含有する蛍光体含有樹脂を用いて、これと青色ＬＥＤチップとを組み合わせることによりに白色光を放出するように構成しても構わない。
【０１２２】
また、上記の実施の形態において、ＬＥＤとして、青色ＬＥＤチップを用いたが、これに限らない。例えば、ＬＥＤとしては、青色以外の色を発光するＬＥＤチップを用いても構わない。この場合、蛍光体としては、ＬＥＤの発光波長に応じて適宜選択すればよい。
【０１２３】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のその他の固体発光素子を用いてもよい。
【０１２４】
また、上記の各実施の形態における照明装置は、天井以外の造営材（被取付部）に設置されていてもよい。また、本発明は、ダウンライト以外の照明器具にも適用することができる。
【０１２５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１２６】
１  照明装置
１０、１０Ａ  第１放熱フィン
１１  第１フィン本体部
１２  第１フィン傾斜部
２０、２０Ａ  第２放熱フィン
２１  第２フィン本体部
２２  第２フィン傾斜部
３０、３０Ａ  第３放熱フィン
４０  隙間
１００  灯具ユニット
１１０  光源
１２０、１２０Ａ  器具本体
１２１  凹部
１２５  挿通孔
１２６  放熱部
１２７  放熱フィン
１５０  枠体
２００  電源ユニット
２１０  電源部
３００  電力線
【図１】
2020102400.tif 000003
【図２】
2020102400.tif 000004
【図３】
2020102400.tif 000005
【図４】
2020102400.tif 000006
【図５】
2020102400.tif 000007
【図６】
2020102400.tif 000008
【図７】
2020102400.tif 000009
【図８】
2020102400.tif 000010
【図９】
2020102400.tif 000011